(57)【要約】【課題】ダンパー機能部とアダプタケースのガタつきによって旋回軸がずれない開閉ヒンジユニットを提供することを目的とする。【解決手段】便蓋が閉駆動を行っている間、前記便蓋の閉駆動を制動する旋回軸を持ったダンパー機能部と、前記ダンパー機能部を便器に固定する円筒状のアダプタケースと、を備えた開閉ヒンジユニットであって、前記ダンパー機能部と前記アダプタケースとが一体となっていることを特徴とする開閉ヒンジユニット。【選択図】図３
2016002249.tif 000002
【特許請求の範囲】
【請求項１】
便蓋が閉駆動を行っている間、前記便蓋の閉駆動を制動する旋回軸を持ったダンパー機能部と、
前記ダンパー機能部を便器に固定する円筒状のアダプタケースと、
を備えた開閉ヒンジユニットであって、
前記ダンパー機能部と前記アダプタケースとが一体となっていることを特徴とする開閉ヒンジユニット。
【請求項２】
前記アダプタケースには、便器に固定され、前記アダプタケースと前記便器とを固定する固定ピンが挿入可能な取付穴が形成されており、
前記アダプタケースの内部には、
前記固定ピンと勘合可能なホルダー部材と、
前記ホルダー部材を、前記固定ピン側に付勢し、前記固定ピンと前記ホルダー部材とを勘合させるバネと、を有し、
前記アダプタケースの外側を覆い、前記バネの付勢方向と逆方向に押し圧することで前記固定ピンと前記ホルダー部材との勘合を解除可能なキャップと、
を有することを特徴とする請求項１記載の開閉ヒンジユニット。
【請求項３】
前記キャップには、切り欠き部が形成されており、
前記ホルダー部材は、前記アダプタケースを貫通し、前記切り欠き部と勘合可能なホルダー部材勘合部が形成されていることを特徴とする請求項２に記載の開閉ヒンジユニット。
【発明の詳細な説明】
【技術分野】
【０００１】
本発明の態様は、便蓋の開閉動作を行うことができる開閉ヒンジユニットに関する。
【背景技術】
【０００２】
欧州特許第１１９９０２０号には、旋回軸を持つダンパー機能部と、アダプタケース部とで分離されているヒンジユニットが開示されている。このヒンジユニットでは、アダプタケースは便器から出ている固定ピンによって固定されている。旋回軸を持つダンパー機能部は、アダプタケースからのフックのみによって固定されている。
【０００３】
従って、旋回軸をもつダンパー機能部は、アダプタケースとのガタつきによって旋回軸の軸位置がずれてしまう問題がある。例えば便蓋の摺動時に旋回軸の軸位置が、ガタつきの影響でズレてしまい、便蓋が傾き、他部品と干渉し摺動しなくなる問題がある。
【先行技術文献】
【特許文献】
【０００４】
【特許文献１】欧州特許第１１９９０２０(ＥＰ１１９９０２０Ｂ１)号公報
【発明の概要】
【発明が解決しようとする課題】
【０００５】
本発明は、上記問題を解決するものであり、ダンパー機能部とアダプタケースのガタつきによって旋回軸がずれない開閉ヒンジユニットを提供することを目的とする。
【課題を解決するための手段】
【０００６】
第１の発明は、便蓋が閉駆動を行っている間、前記便蓋の閉駆動を制動する旋回軸を持ったダンパー機能部と、前記ダンパー機能部を便器に固定する円筒状のアダプタケースと、を備えた開閉ヒンジユニットであって、前記ダンパー機能部と前記アダプタケースとが一体となっていることを特徴とする開閉ヒンジユニットである。
【０００７】
一体型とすることで、ダンパー機能部とアダプタケースのガタつきによって旋回軸がずれることがない。従って便蓋の摺動も旋回軸の軸位置が固定されたまま摺動を行う為、スムーズに摺動させることができる。
【０００８】
更にダンパー機能部とアダプタケースとが一体となっている為、ダンパー機能部に応力がかかった場合、ダンパー機能部とアダプタケースとの取り付けが無い為、ダンパー機能部の脱落を防止できる。
【０００９】
第２の発明は、前記アダプタケースには、便器に固定され、前記アダプタケースと前記便器とを固定する固定ピンが挿入可能な取付穴が形成されており、前記アダプタケースの内部には、前記固定ピンと勘合可能なホルダー部材と、前記ホルダー部材を、前記固定ピン側に付勢し、前記固定ピンと前記ホルダー部材とを勘合させるバネと、を有し、前記アダプタケースの外側を覆い、前記バネの付勢方向と逆方向に押し圧することで前記固定ピンと前記ホルダー部材との勘合を解除可能なキャップと、を有する開閉ヒンジユニットである。
【００１０】
本発明の開閉ヒンジユニットにおいては、金属性の部材であるバネがアダプタケースの内部に隠蔽している為、例えば小水がバネに掛かって、バネが錆びて、開閉ヒンジユニットと固定ピンとの取り外しが出来なくなる、といった品質劣化を防止できる。
【００１１】
また固定構造を担っている部品を一体型のアダプタケース内に隠蔽することで、便器内への脱落を防止することができる。
【００１２】
第３の発明は、前記キャップには、切り欠き部が形成されており、前記ホルダー部材は、前記アダプタケースを貫通し、前記切り欠き部と勘合可能なホルダー部材勘合部が形成されている開閉ヒンジユニットである。
【００１３】
ホルダー部材勘合部によってキャップの押し圧が安定するので、ホルダー部材と固定ピンとの勘合を確実に解除させることが出来る。
【発明の効果】
【００１４】
ダンパー機能部とアダプタケースのガタつきによって旋回軸がずれない開閉ヒンジユニットを提供することができる。
【図面の簡単な説明】
【００１５】
【図１】本発明の実施の形態にかかる開閉ヒンジユニットを備えたトイレ装置を例示する斜視模式図である。
【図２】本実施形態に関わる開閉ヒンジユニットの背面機能ブロック図である。
【図３】図２で例示した開閉ヒンジユニットの着時状態のＡ−Ａ断面図である。
【図４】図２で例示した開閉ヒンジユニットの脱時状態のＡ−Ａ断面図である。
【発明を実施するための形態】
【００１６】
以下、本発明実施の形態を図面を参照しつつ説明する。なお、各図面中、同様の構成要素には同一の符号を付して詳細な説明は適宜省略する。
図１は、本発明の実施の形態にかかる開閉ヒンジユニットを備えたトイレ装置を例示する斜視模式図である。
【００１７】
図１に表したトイレ装置１００は、便器２００と、その上方に設けられた便座３００と、便蓋４００と、開閉ヒンジユニット５００と、を備える。
【００１８】
また、図２は、本実施形態に関わる開閉ヒンジユニットの機能ブロック図、図３は、図２で例示した開閉ヒンジユニットの着時状態のＡ−Ａ断面図である。
【００１９】
開閉ヒンジユニット５００は、便座３００にある円筒状の収容孔３１０の中に収容され、便器２００から出ている固定ピン６００よって開閉ヒンジユニット５００が固定されている。また開閉ヒンジユニット５００は旋回軸５１０を有しており、便蓋４００は、軸受け穴４１０に旋回軸５１０を差し込むことで、開閉ヒンジユニット５００に固定される。また便蓋４００は、軸受け穴４１０を中心に開閉動作を行い、便座３００は、収容孔３１０を中心に開閉動作を行うことができる。
【００２０】
また、開閉ヒンジユニット５００は、外観を円筒状のアダプタケース５３０と、ダンパー機能部５２０とが一体となった開閉ヒンジユニット５００である。
【００２１】
固定ピン６００は便器２００によって固定されて、固定ピンの先端部にはリング状の凹溝６１０がある。またアダプタケース５３０は、便器２００と開閉ヒンジユニット５００とを固定するための固定ピン６００を挿入するための取付穴５４０が形成されている。
【００２２】
アダプタケース５３０の内部に、固定ピン６００を勘合するためのホルダー部材７００と、その固定を維持するためのバネ８００が隠蔽されている。
【００２３】
ホルダー部材７００には半径孔７１０の形状を持ち、アダプタケース５３０の内径によって勘合されており、バネ８００からのバネ力をスラスト方向で常に受けており、スラスト方向において摺動可能である。
【００２４】
バネ８００は、ダンパー機能部５２０の背面からスラスト方向に出ている円筒形の凸５５０と、バネ８００の内径によって勘合されており、収縮可能である。
【００２５】
固定ピン６００を、取付穴５４０へ挿入時、リング状の凹溝６１０と、ホルダー部材の半径孔７１０とが勘合され、更にバネ８００のバネ力によって、ホルダー部材７００を固定ピン６００側へ付勢し勘合状態を維持させている。
【００２６】
アダプタケース５３０の後方に、キャップ部材９００が付いており、収容孔３１０と勘合され、後ろ側からホルダー部材７００とバネ８００とを隠蔽している。ホルダー部材７００とバネ８００とを、開閉ヒンジユニット５００内に完全隠蔽している構造を取っている為、小水などによる品質劣化を防止し、更に便器２００内への脱落を防止することができる。
【００２７】
続いて図４を参照し、開閉ヒンジユニット５００の脱時について説明をする。
図４は、図２で例示した開閉ヒンジユニットのＡ−Ａ断面図である。
【００２８】
キャップ部材９００は、スラスト方向に摺動可能で、ホルダー部材からのリブ７２０が、キャップ９００の内側面に干渉しており、キャップ部材９００を押すことで、バネ８００からの付勢方向と逆方向に押し圧され、半径孔７２０とリング状の凹溝６１０との勘合を解除することが可能である。
【００２９】
従って固定ピン６００と開閉ヒンジユニット５００とを脱する場合は、キャップ部材９００をスラスト方向に押すことで、バネ８００によるロックが解除され、便器２００と開閉ヒンジユニット５００とを分離することができる。
【００３０】
ホルダー部材７００の下部には、勘合可能なホルダー部材勘合部として、フランジ部７３０が形成され、その部分は、アダプタケース５３０の切り欠き部５６０より突出している。  またアダプタケースの切り欠き部５６０の内面と、フランジ部７３０の側面とが勘合されており、ホルダー部材７００が、回転方向にガタつかないようにガイドされている。
【００３１】
また、キャップ部材９００の先端部には、切り欠き部５６０があり、その切り欠き部５６０は、アダプタケース５３０から突出したフランジ部７３０が勘合されている。
【００３２】
フランジ部７３０によって、キャップ９００が正位置の状態を維持出来、キャップ部材９００を押し時、ホルダー部材７００に押し圧が正確に伝わることで、押し圧が安定し、ホルダー部材と固定ピンとの勘合を確実に解除させることが出来る。
【符号の説明】
【００３３】
１００…トイレ装置、２００…便器、３００…便座、３１０…収容孔、４００…便蓋、４１０…軸受け穴、５００…開閉ヒンジユニット、５１０…旋回軸、
５２０…ダンパー機能部、５３０…アダプタケース、５４０…取付穴、
５５０…円筒状の凸、５６０…切り欠き部、６００…固定ピン、６１０…リング溝、７００…ホルダー部材、
７１０…半径孔、７２０…リブ、７３０…フランジ部、８００…バネ、
９００…キャップ部材
【図２】
2016002249.tif 000003
【図３】
2016002249.tif 000004
【図４】
2016002249.tif 000005
【図１】
2016002249.tif 000006